(57)【要約】【課題】更に効果がある肩こりなどの痛みを治療する微弱電流による肩こり、腰、肱等の痛み止めの治療材を提供するものである。【解決手段】焦電体であるトルマリンを成型焼成した治療材を患部に貼ることにより、超微弱電流を流すと細胞内にカルシウムイオンが取り込まれその結果、ミトコンドリアが活性化し、ＡＴＰ（細胞内のエネルギー源）とタンパク質の再合成が起こり、細胞膜が修復される。  又、外部から超微弱電流を流すと、細胞内を流れる電流が細胞膜の電位を変化させ、ナトリウムイオンやカルシウムイオンが細胞内に取り込まれ、これらのイオンが損傷した細胞を修復する。【選択図】図２
2014057819.tif 000002
【特許請求の範囲】
【請求項１】
ゼオライト鉱石の粉末を成形して焼成した成形体の表面に、トルマリン鉱石の粉末６０〜９５重量％にバインダとしてのガラス粉末５〜４０重量％を配合したものをコーティングして、成形体に焼成したことを特徴とする微弱電流による肩こり、腰、肱等の痛み止めの治療材。
【請求項２】
ゼオライト鉱石の粉末を成形して焼成した成形体の表面に、ゼオライト鉱石１〜３０重量％とトルマリン鉱石の粉末３５〜９４重量％にバインダとしてのガラス粉末５〜３５重量％を配合したものをコーティングして、成形体に焼成したことを特徴とする微弱電流による肩こり、腰、肱等の痛み止めの治療材。
【請求項３】
トルマリン鉱石の粉末６０〜９５重量％にバインダとしてのガラス粉末５〜４０重量％を配合したものを成形体に焼成したことを特徴とする微弱電流による肩こり、腰、肱等の痛み止めの治療材。
【請求項４】
ゼオライト鉱石１〜３０重量％とトルマリン鉱石の粉末３５〜９４重量％にバインダとしてのガラス粉末５〜３５重量％を配合したものを成形体に焼成したことを特徴とする微弱電流による肩こり、腰、肱等の痛み止めの治療材。
【請求項５】
円盤状の成形体の片面に突起をつけて体のツボを刺激する構造としたものを請求項１．２．３．４．に記載のいずれかの方法で成形、焼成したことを特徴とする厚生省の定める医療機器である家庭用貼付型接触粒。
【請求項６】
焼成温度を３５０〜８００℃としたことを特徴とする請求項１．２．３．４に記載の肩こり等の治療材。
【発明の詳細な説明】
【発明の詳細な説明】
【技術分野】
【０００１】  従来、肩こりなどの痛みを治療するものとしては、磁力を利用したものやトルマリンを球形にしてネックレスや腕輪にしたものや炎鎮痛材としての貼り薬が知られている。
【発明が解決しようとする課題】
【０００２】  しかし、これらの治療方法は、血行をよくしたり、暖めたりするものであるが、これらの方法では、痛みの原因を取り除くものではない為、完治するのは難しいという問題点があった。
【０００３】  又、トルマリンを使用した従来技術はトルマリン鉱石を粉末にして焼成したものではないので焦電体としての機能が劣り十分な効果がでていないという問題点があった。
【問題を解決するための手段】
【０００４】  本発明は、上記のような問題を解決するためになされたもので、（請求項１）はゼオライト鉱石の粉末を成形して焼成した成形体の表面に、トルマリン鉱石の粉末６０〜９５重量％にバインダとしてのガラス粉末５〜４０重量％を配合したものをコーティングして、成形体に焼成したことを特徴とする構成とした。
【０００５】  本発明微弱電流による肩こり、腰、肱等の痛み止めの治療材（請求項２）は  ゼオライト鉱石の粉末を成形して焼成した成形体の表面に、ゼオライト鉱石１〜３０重量％とトルマリン鉱石の粉末３５〜９４重量％にバインダとしてのガラス粉末５〜３５重量％を配合したものをコーティングして、成形体に焼成したことを特徴とする構成とした。
【０００６】  本発明微弱電流による肩こり、腰、肱等の痛み止めの治療材（請求項３）はトルマリン鉱石の粉末６０〜９５重量％にバインダとしてのガラス粉末５〜４０重量％を配合したものを成形体に焼成したことを特徴とする構成とした。
【０００７】  本発明微弱電流による肩こり、腰、肱等の痛み止めの治療材（請求項４）はゼオライト鉱石１〜３０重量％とトルマリン鉱石の粉末３５〜９４重量％にバインダとしてのガラス粉末５〜３５重量％を配合したものを成形体に焼成したことを特徴とする構成とした。
【０００８】  本発明家庭用貼付型接触粒（請求項５）は円盤状の成形体の片面に突起をつけて体のツボを刺激する構造としたものを請求項１．２．３．４．に記載のいずれかの方法で成形、焼成したことを特徴とする構成とした。
【０００９】  本発明微弱電流による肩こり、腰、肱等の痛み止めの治療材（請求項１．２．３．４）と家庭用貼付型接触粒（請求項５）は、焼成温度を３５０〜８００℃としたことを特徴とする構成とした。（請求項６）
【発明の効果】
【００１０】  そこで本発明は、焦電体であるトルマリンからなることを特徴とする。本発明は、痛みの原因のひとつに損傷した組織細胞はアラキドン酸を放出してプロスタグランディンを生成すること、プロスタグランディンは、細胞組織に一連の反応を引き起こし、ヒスタミンやカリジンなどの物質を放出し、これが疼痛端末を刺激するため痛みを感じているのであるから、この状態で超微弱電流を流すと細胞内にカルシウムイオンが取り込まれその結果、ミトコンドリアが活性化し、ＡＴＰ（細胞内のエネルギー源）とタンパク質の再合成が起こり、細胞膜が修復される。
【００１１】  又、外部から超微弱電流を流すと、細胞内を流れる電流が細胞膜の電位を変化させ、ナトリウムイオンやカルシウムイオンが細胞内に取り込まれ、これらのイオンが損傷した細胞を修復する。このことから超微弱電流を発生するトルマリンからなる治療材は根本的な治療法になる。
【００１２】  又、本発明家庭用貼付型接触粒（請求項５）は円盤状の成形体の片面に突起をつけて体のツボを刺激するとともに、超微弱電流を流すことにより損傷した細胞を修復する治療法である。
【００１３】
2014057819.tif 000003
２５人に一週間、本発明微弱電流による肩こり、腰、肱等の痛み止めの治療材を痛い箇所にテープで貼っての治療結果である。一部重複回答を含む。
【図面の簡単な説明】
【００１４】
【図１】  本発明のトルマリンの粉末とバインダとしてのガラス粉末を混合したものを焼結した成形体を示す図。
【図２】  本発明の（請求項４）トルマリンの粉末とゼオライトの粉末とバインダとしてのガラス粉末を混合したものを焼結した成形体を示す図。図１〜２の形状については円盤状に限定するものではなく、四角形でもよく形状にこだわるものではない。
【図３】  本発明の（請求項５）円盤状の成形体の片面に突起をつけて体のツボを刺激する構造に焼結した成形体を示す図。
【発明を実施するための形態】
【００１５】  トルマリン鉱石８０重量％の粉末とバインダとしてガラス粉末２０重量％を配合したものを焼成し成形体とし、患部にテープで貼ることにより、損傷した細胞を自己修復することが出来る。肩こり等の治療材はネックレス、腕輪等の形態にして使用しても効果がある。
【００１６】  肩こり等の治療材は、ゼオライトの核にトルマリンの粉体６０〜９５重量％とバインダとしてのガラス粉末５〜４０重量％を配合したものをコーティングして成形焼成する。核はゼオライトでなくてもトルマリンをコーティングできるものであれば他のものでもよい。
【００１７】  肩こり等の治療材は、トルマリン鉱石６０〜９５重量％の粉末とバインダとしてガラス粉末５〜４０重量％を配合して焼結して成形する。ガラスでなくてもトルマリンを焼結できるものであれば他のものでもよい。
【００１８】  トルマリン粉体を成型焼成するときに、必要に応じて他の粉体を混合してもよい。
【００１９】  トルマリンの成型したものを焼成する温度は４５０℃〜８００℃とすることが望ましい。８００℃より高い温度で焼成するとトルマリンの結晶体が崩れ効果が薄れるので好ましくない。
【００２０】  更に、焼成せずにトルマリンを成型したものでもよい。
【００２１】  以上、本発明の実施の形態を説明してきたが、具体的な構成は、これに限定されることはない。例えばトルマリン粉体に花崗岩、シリカ、銀、銅、チタン、ジルコニウム、麦飯石、アルミナ、陶土等を配合することができる。
【符号の説明】
【００２２】１  トルマリン
２  ゼオライト
３  突起物
【図１】
2014057819.tif 000004
【図２】
2014057819.tif 000005
【図３】
2014057819.tif 000006